(57)【特許請求の範囲】
【請求項１】
外郭に第１のドレン穴が形成されたファンモータと、
前記ファンモータによって回転駆動されるファンと、
前記ファンによって送風される空気を暖めるヒータと、
一つの面に開口が形成された箱状であり、前記ファンモータ、前記ファン及び前記ヒータを収容する本体と、
前記ファンに取り込まれる空気中の異物を除去するフィルタを有し、前記開口を開閉可能に前記本体に取り付けられるパネルと、
前記外郭にねじで取り付けられて前記第１のドレン穴を覆うモータカバーとを備え、
前記ファンモータは、前記外郭を構成するモータフレーム及びモータブラケットを備え、
前記モータフレーム及び前記モータブラケットの各々は、端部合わせ面にフランジ部を有し、
前記モータカバーには、前記フランジ部と係合する固定溝が形成され、
前記モータカバーは、前記第１のドレン穴を通じて前記ファンモータから排出されるドレン水を受けるドレン受け部を有し、
前記ドレン受け部は、前記ドレン水を排水する第２のドレン穴が形成されており、
前記第２のドレン穴を正面視する方向において、前記第１のドレン穴と前記第２のドレン穴とが重ならないことを特徴とする浴室乾燥機。
【請求項２】
前記ねじが締結されるねじ固定部を有する固定板を備え、
前記フランジ部は、前記ねじが貫通可能な穴が形成された凸状のねじ締め部を有し、
前記モータカバーは、前記ねじ締め部が貫通可能な挿入穴と、前記ねじの頭よりも幅狭の狭窄部と、前記挿入穴に貫通させた前記ねじ締め部及び前記狭窄部を前記ねじ固定部に前記ねじで共締めする工具との干渉を防ぐＵ溝とが形成されていることを特徴とする請求項１に記載の浴室乾燥機。
【請求項３】
前記モータカバーは、前記Ｕ溝の延びる方向と交差する方向に延びて前記モータカバーの端部まで達し、前記ねじ固定部がスライド可能なスライド溝が形成されていることを特徴とする請求項２に記載の浴室乾燥機。
【請求項４】
前記第２のドレン穴は、前記ドレン水が前記第２のドレン穴に形成する水膜の表面張力が、前記水膜に作用する重力よりも弱くなる大きさであることを特徴とする請求項１から３のいずれか１項に記載の浴室乾燥機。
【発明の詳細な説明】
【技術分野】
【０００１】
本発明は、浴室に温風を送風する暖房運転と、浴室の空気を屋外に排出する換気運転と、浴室への温風の送風及び浴室の空気の排出を同時に行う乾燥運転を持ち、ダンパーによって風路を切り替える浴室乾燥機に関する。
【背景技術】
【０００２】
浴室乾燥機は、ファン、ファンモータ及びヒータを、一つの面に開口が形成された箱状の本体内に収容する。本体の開口面は、ファンに取り込まれる空気中の異物を除去するフィルタが設置されたパネルで覆われる。浴室乾燥機は、浴室内が高湿状態で運転すると、風路内のファンモータ周辺の雰囲気も高湿となり、ファンモータ内部へ湿気が浸入する。【０００３】
ファンモータ内部へ湿気が浸入すると、ファンモータの外郭の内面が結露し、下部にドレン水がたまる。このドレン水を排出するため、特許文献１に示すようにファンモータの外郭の側面にドレン穴を設けて排水するのが一般的である。
【先行技術文献】
【特許文献】
【０００４】
【特許文献１】特開２０１５−１７３５３５号公報
【発明の概要】
【発明が解決しようとする課題】
【０００５】
フィルタを清掃するために工具を使用せずにパネルを開けることが可能である浴室乾燥機は、ファンモータに直接水がかかる可能性がある。ファンモータの外郭にドレン穴を設け、ファンモータ内部の水を排出可能とした場合であっても、ドレン穴を通じて外部から水がファンモータの内部に浸入することを極力避ける必要がある。このため、特許文献１のようにモータ外郭の側面にドレン穴を設けたファンモータを用いた浴室乾燥機は、パネルが開いた状態でもファンモータ内部への水の浸入を防ぐ防水性能が必要である。したがって、ファンモータの外郭に水がかかってもドレン穴からファンモータ内部へ水が浸入することがなく、かつファンモータ内部での結露により発生するドレン水をドレン穴から確実に排水できる構造としなければならない。【０００６】
本発明は、上記に鑑みてなされたものであって、ファンモータの内部への外部からの水の浸入を防止しつつ、ファンモータの内部で発生したドレン水を外部に排水できる浴室乾燥機を得ることを目的とする。
【課題を解決するための手段】
【０００７】
上述した課題を解決し、目的を達成するために、本発明は、外郭に第１のドレン穴が形成されたファンモータと、ファンモータによって回転駆動されるファンと、ファンによって送風される空気を暖めるヒータと、一つの面に開口が形成された箱状であり、ファンモータ、ファン及びヒータを収容する本体と、ファンに取り込まれる空気中の異物を除去するフィルタを有し、開口を開閉可能に本体に取り付けられるパネルと、外郭にねじで取り付けられて第１のドレン穴を覆うモータカバーとを備える。モータカバーは、第１のドレン穴を通じてファンモータから排出されるドレン水を受けるドレン受け部を有する。ドレン受け部は、ドレン水を排水する第２のドレン穴が形成されている。第２のドレン穴を正面視する方向において、第１のドレン穴と第２のドレン穴とが重ならない。
【発明の効果】
【０００８】
本発明に係る浴室乾燥機は、ファンモータ内部への水の浸入を防止しつつ、ファンモータの内部で発生したドレン水を外部に排水できるという効果を奏する。
【図面の簡単な説明】
【０００９】
【図１】本発明の実施の形態１に係る浴室乾燥機の据付状態を示す斜視図
【図２】実施の形態１に係る浴室乾燥機の本体部の内部構造を示す縦断面図
【図３】実施の形態１に係る浴室乾燥機のフロントパネルを外した状態の正面図
【図４】実施の形態１に係る浴室乾燥機のフロントパネル及びフィルタを外した状態の正面図
【図５】実施の形態１に係る浴室乾燥機のパネル、フィルタ及びファンケーシングを外した状態の斜視図
【図６】実施の形態１に係る浴室乾燥機のパネル、フィルタ、ファンケーシング、及びファンを外した状態の斜視図
【図７】実施の形態１に係る浴室乾燥機のモータカバーの表面側の斜視図
【図８】実施の形態１に係る浴室乾燥機のモータカバーの裏面側の斜視図
【図９】実施の形態１に係る浴室乾燥機のモータカバーの平面図
【図１０】実施の形態１に係る浴室乾燥機のモータカバーの断面図
【図１１】実施の形態１に係る浴室乾燥機のファンモータ、固定板及びファンの斜視図
【図１２】実施の形態１に係る浴室乾燥機のファンモータ、固定板及びモータカバーの分解斜視図
【発明を実施するための形態】
【００１０】
以下に、本発明の実施の形態に係る浴室乾燥機を図面に基づいて詳細に説明する。なお、この実施の形態によりこの発明が限定されるものではない。
【００１１】
実施の形態１．
図１は、本発明の実施の形態１に係る浴室乾燥機の据付状態を示す斜視図である。浴室乾燥機１は、浴室内表面に意匠面を構成するパネル２と、箱状の金属ケースで覆われた本体部２０とを有する。パネル２は、パネルベース３とフロントパネル４とを備える。パネル２は、パネルベース３とフロントパネル４との間の上及び左右の三方向から空気を吸い込む。パネルつまみ５を回転させてフロントパネル４とパネルベース３との係合部を外すことで、フロントパネル４を開くことができる。なお、フロントパネル４とパネルベース３との係合部は図示を省略している。
【００１２】
吹出口１０は、温風を吹き出す吹き出し口をフロントパネル４に形成する。
【００１３】
図２は、実施の形態１に係る浴室乾燥機の本体部の内部構造を示す縦断面図である。本体部２０は、外郭を形成する外郭枠２１、送風するファン２２、ファン２２を駆動するファンモータ１１、ファン２２が発生させる気流の風路を形成する樹脂製の本体７と空気を送風するファンケーシング２３とを備えている。本体７は、一つの面に開口が形成された箱状である。本体７の開口が形成された面は、パネル２によって覆われる。なお、図２においては、ファンモータ１１は、ファン２２の陰に隠れており、モータ軸１１ｄのみが図に表れている。また、本体部２０には、ファン２２によって送風される空気を温めるヒータ２４、暖められた空気を吹き出す吹出口１０、換気、暖房及び乾燥の運転モードを切り替えるダンパー２５、ダンパー２５を駆動させるモータ、空気を外へ排出するための排気開口２１ａが収容されている。
【００１４】
浴室乾燥機１は、ダンパー２５を駆動させて風路を切り替えることで、空気を排気開口２１ａから外へ排出する排気運転、吹出口１０から浴室内に加熱した空気を流す暖房運転、又は浴室内の空気の一部を排気開口２１ａから外へ排出し、一部を暖めて浴室内へ戻す乾燥運転を行う。
【００１５】
また、パネルベース３とフロントパネル４との間から吸い込まれた空気は、フィルタ６を通過した後に、風路内を流れる。フィルタ６は、ファン２２に取り込まれる空気中の異物を除去する。
【００１６】
図３は、実施の形態１に係る浴室乾燥機のフロントパネルを開いた状態の正面図である。パネルベース３に取付けられたパネルつまみ５を横に向けフロントパネル４の下部に備えた引掛部４ａを外すことで、フロントパネル４の上部のパネルベース３との係合部を中心にフロントパネル４を上方向に回転させ、フロントパネル４を開くことができる。フィルタ６は、パネルベース３に取付けられる。フィルタ６は、フロントパネル４を閉じた状態であっても、フィルタ右取っ手６ａを持ってパネルベース右辺３ａ側から外すことも、フィルタ左取っ手６ｂを持ってパネルベース左辺３ｂ側から外すこともできる。また、フロントパネル４を開いた状態であれば、フィルタ正面取っ手６ｃを持ってフィルタ６を前方に外すことができる。このように、フィルタ６は、複数の方向から取り外し可能となっている。このため、浴室乾燥機１の本体部２０の左右どちらかに壁があってもフィルタ６を取り外し可能とすることで、浴室乾燥機１の設置制約をなくしメンテナンス性を向上させている。
【００１７】
図４は、実施の形態１に係る浴室乾燥機のフロントパネルを開き、フィルタを外した状態の正面図である。フロントパネル４及びフィルタ６は、工具を使用せずに外すことができる。フィルタ６を外した開口部には、送風する図２に示したファン２２、ファン２２を駆動させるファンモータ１１、ファンモータ１１を保持するモータ固定板１２、及びファン２２の風路を形成するファンケーシング２３が設置されている。ファン２２は、ファンケーシング２３と、不図示の製品駆動回路を収納する本体７の突出部７ａとの間の空気吸い込み部８ａ、及びファンケーシング２３とファンモータ１１との間の空気吸い込み部８ｂから空気を吸い込んで送風する。
【００１８】
図５は、実施の形態１に係る浴室乾燥機のパネル、フィルタ及びファンケーシングを外した状態の斜視図である。図６は、実施の形態１に係る浴室乾燥機のパネル、フィルタ、ファンケーシング、及びファンを外した状態の斜視図である。本体７には、モータ固定板１２が取付けられている。モータ固定板１２には、ファンモータ１１が取付けられる。ファンモータ１１のモータ軸１１ｄには、ファン２２が取付けられる。ファン２２は、回転軸が横方向を向く姿勢でファンモータ１１のモータ軸１１ｄに取付けられている。ファン２２は、空気吸い込み部８ａ，８ｂの両方から空気を吸い込む両吸込羽根である。
【００１９】
モータフレーム１１ａ及びモータブラケット１１ｂは、相互の合わせ面にフランジ部１１ｃが設けられている。フランジ部１１ｃは、ねじ１５が貫通可能な穴が形成された凸状のねじ締め部１１ｅを複数備えている。ねじ締め部１１ｅは、モータ固定板１２に固定される。ファン２２は、金属製のナット１３によって金属のモータ軸１１ｄに固定される。
【００２０】
フランジ部１１ｃには、全周に接着剤を塗布している。また、リード線貫通部は樹脂製のブッシュ３４にて塞がれている。さらに、モータフレーム１１ａ側の軸受は、シールタイプのものが用いられている。実施の形態１に係る浴室乾燥機１は、これらの湿気浸入防止対策によりファンモータ１１の内部への湿気浸入が防止されている。
【００２１】
図７は、実施の形態１に係る浴室乾燥機のモータカバーの表面側の斜視図である。図８は、実施の形態１に係る浴室乾燥機のモータカバーの裏面側の斜視図である。図９は、実施の形態１に係る浴室乾燥機のモータカバーの平面図である。図１０は、実施の形態１に係る浴室乾燥機のモータカバーの断面図である。図１０は、図９中のX-X線に沿った断面を示している。モータカバー３６は、長手方向と短手方向とを有する形状である。実施の形態１においては、モータカバー３６は、直方体状である。モータカバー３６の表面３６ｑには、第１の凹部と第２の凹部とが形成されている。第１の凹部は、長手方向に延びる側面３６ｕまで達するスライド溝３６ｃである。第２の凹部は、ねじ固定溝３６ｄ及びＵ溝３６ｆによって構成され、長手方向の一端側の側面３６ｒまで達している。第１の凹部と第２の凹部とは、Ｕ溝３６ｐで繋がっている。Ｕ溝３６ｐは、ねじ１５の頭よりも幅狭の狭窄部である。
【００２２】
第１の凹部には、Ｕ溝３６ｐ側の端部に挿入穴３６ｅが形成されている。第１の凹部のＵ溝３６ｐ側の端部の側壁は、挿入穴３６ｅの上に庇状に張り出す斜面３６ａとなっている。
【００２３】
また、表面３６ｑには、第１の凹部のＵ溝３６ｐと隣接する側とは反対側に、第２のドレン穴３６ｎが設けられている。また、表面３６ｑには、第２の凹部に幅方向に隣接して第２のドレン穴３６ｊが設けられている。
【００２４】
モータカバー３６の裏面３６ｓは開放されており、表面３６ｑが底になる凹状のドレン受け部３６ｍ，３６ｋが形成されている。モータカバー３６の短手方向に延びる側面３６ｒ，３６ｔ、すなわち長手方向の両端部の側面３６ｒ，３６ｔの裏面３６ｓ側は、ファンモータ１１の外径と同じ曲率で湾曲して凹んでいる。
【００２５】
図１１は、実施の形態１に係る浴室乾燥機のファンモータ、固定板及びファンの斜視図である。図１２は、実施の形態１に係る浴室乾燥機のファンモータ、固定板及びモータカバーの分解斜視図である。スライド溝３６ｃは、Ｕ溝３６ｆの延びる方向と交差する方向に延びてモータカバー３６の端部まで達しており、ねじ固定部１２ａがスライド可能である。モータカバー３６は、浴室乾燥機１を据付けた状態でのファンモータ１１の下部に取り付けられる。モータカバー３６は、裏面３６ｓ側がファンモータ１１の外郭に対向した状態で、ファンモータ１１の外郭に固定される。具体的には、フランジ部１１ｃをフランジ溝３６ｇに挿入するとともに、フランジ部１１ｃから突出させたねじ締め部１１ｅをモータカバー３６の挿入穴３６ｅに挿入し、斜面３６ａとねじ締め部１１ｅの外形とを当接させ、ねじ締め部１１ｅを挿入穴３６ｅに嵌合させる。さらに、ねじ締め部１１ｅの軸１１ｆとモータカバー３６の軸３６ｂを一致させるように位置を合わせる。ねじ締め部１１ｅの軸１１ｆとモータカバー３６の軸３６ｂを一致させた状態で、モータ固定板１２の貫通穴１２ｃにモータフレーム１１ａを通し、ファンモータ１１の円周方向に回して、貫通穴１２ｃの中心方向へ突出しているねじ固定部１２ａをスライド溝３６ｃに通してスライドさせ、ねじ締め部１１ｅの軸１１ｆとねじ固定部１２ａの軸１２ｂの位置を一致させる。スライド溝３６ｃは、モータカバー３６の端部まで達しているため、モータカバー３６をファンモータ１１の外郭に位置決めした状態で、スライド溝３６ｃにねじ固定部１２ａを挿抜することができる。そして、ねじ１５をモータカバー３６のねじ固定溝３６ｄからねじ固定用の狭窄部であるＵ溝３６ｐに差し込み、モータ固定板１２にモータカバー３６をファンモータ１１と共締めで固定する。具体的には、挿入穴３６ｅに貫通させたねじ締め部１１ｅ及びモータカバー３６のＵ溝３６ｐの部分を、ねじ固定部１２ａにねじ１５で共締めする。モータカバー３６には、軸３６ｂに沿ってＵ溝３６ｆが形成されているため、ねじ１５を締める際にドライバーの柄がモータカバー３６に干渉することは防止される。
【００２６】
浴室乾燥機１は、国際電気標準会議（International  Electrotechnical  Commission,  IEC）の防水等級において防沫形に該当するＩＰＸ４相当の防水性能が必要である。浴室乾燥機１は、モータカバー３６とファンモータ１１の側面、及びフランジ部１１ｃとモータカバー３６のフランジ溝３６ｇは接触又は微小隙間しか空かない寸法関係となっているため、水がかかってもモータカバー３６とファンモータ１１の側面との間からモータカバー３６の内部へ水が浸水することはない。また、モータカバー３６の第２のドレン穴３６ｊ，３６ｎは、モータブラケット１１ｂの第１のドレン穴１１ｇ及びモータフレーム１１ａの第１のドレン穴１１ｈとずれた位置に配置されている。このため、第２のドレン穴３６ｊを正面視する方向から見た場合、第２のドレン穴３６ｊと第１のドレン穴１１ｇとは重なり合わない。同様に、第２のドレン穴３６ｎを正面視する方向から見た場合、第２のドレン穴３６ｎと第１のドレン穴１１ｈとは重なり合わない。このように、モータカバー３６の第２のドレン穴３６ｊ，３６ｎと、モータブラケット１１ｂの第１のドレン穴１１ｇ及びモータフレーム１１ａの第１のドレン穴１１ｈとが重ならないため、第１のドレン穴１１ｈ，１１ｇは、モータカバー３６によって遮蔽される。したがって、水が飛散することにより、モータカバー３６内へ水が浸入することはあっても、ファンモータ１１の内部まで水が浸入することはない。特に、モータブラケット１１ｂ側は外部からの水がかかりやすいが、ねじ固定溝３６ｄとＵ溝３６ｆの板厚とにより形成されている突起３６ｈによりモータカバー３６の第２のドレン穴３６ｊからモータブラケット１１ｂの第１のドレン穴１１ｇまで直線的に水が飛散する経路を遮断している。
【００２７】
ファンモータ１１の内部で結露によりドレン水が発生した場合、モータブラケット１１ｂ側では、第１のドレン穴１１ｇからモータカバー３６のドレン受け部３６ｋに落ちたドレン水は２箇所にあるモータカバー３６の第２のドレン穴３６ｊを通じて排水される。モータフレーム１１ａ側では、第１のドレン穴１１ｈからモータカバー３６のドレン受け部３６ｍに落ちたドレン水は、モータカバー３６の第２のドレン穴３６ｎを通じて排水される。モータカバー３６の第２のドレン穴３６ｊ，３６ｎは、表面張力で水が溜まってしまうことが無いような大きさとしている。具体的には、第２のドレン穴３６ｊ，３６ｎの大きさは、ドレン水が第２のドレン穴３６ｊ，３６ｎに形成する水膜の表面張力が、その水膜に作用する重力よりも弱くなる大きさとなっている。第２のドレン穴３６ｊ，３６ｎがこの条件を満たす大きさであれば、ドレン受け部３６ｋ，３６ｍに水が溜まっておらず、第２のドレン穴３６ｊ，３６ｎにドレン水が形成する水膜が、上方からドレン水に押されることがない状態であっても、第２のドレン穴３６ｊ，３６ｎにドレン水が留まることがない。
【００２８】
実施の形態１に係る浴室乾燥機１は、ファンモータ１１にモータカバー３６をねじ１５で固定して第１のドレン穴１１ｈ，１１ｇを遮蔽するため、外部から水がかかってもファンモータ１１内部への水の浸入を防止できる。また、モータカバー３６は、ファンモータ１１の内部から排水されたドレン水を受けるドレン受け部３６ｋ，３６ｍを第１のドレン穴１１ｈ，１１ｇの正面に設けており、ドレン受け部３６ｋ，３６ｍに第２のドレン穴３６ｊ，３６ｎを設けているため、ファンモータ１１の内部で発生したドレン水をファンモータ１１の外へ排水することができる。
【００２９】
特に、浴室乾燥機を壁据付型又は窓据付型にする場合は、天井に据え付ける場合よりも低所に設置されることになるため、ファンモータに水が直接かかる可能性が高くなる。したがって、壁又は窓に据え付ける浴室乾燥機は、ファンモータの内部への外部からの水の浸入を防止する対策を確実に行う必要がある。実施の形態１に係る浴室乾燥機１は、ファンモータ１１の内部への外部からの水の浸入を防止できるため、天井よりも低所に設置することが可能である。
【００３０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３１】
１  浴室乾燥機、２  パネル、３  パネルベース、３ａ  パネルベース右辺、３ｂ  パネルベース左辺、４  フロントパネル、４ａ  引掛部、５  パネルつまみ、６  フィルタ、６ａ  フィルタ右取っ手、６ｂ  フィルタ左取っ手、６ｃ  フィルタ正面取っ手、７  本体、７ａ  突出部、８ａ，８ｂ  空気吸い込み部、１０  吹出口、１１  ファンモータ、１１ａ  モータフレーム、１１ｂ  モータブラケット、１１ｃ  フランジ部、１１ｄ  モータ軸、１１ｅ  ねじ締め部、１１ｆ，１２ｂ，３６ｂ  軸、１１ｇ，１１ｈ  第１のドレン穴、１２  モータ固定板、１２ａ  ねじ固定部、１２ｃ  貫通穴、１３  ナット、１５  ねじ、２０  本体部、２１  外郭枠、２１ａ  排気開口、２２  ファン、２３  ファンケーシング、２４  ヒータ、２５  ダンパー、３４  ブッシュ、３６  モータカバー、３６ａ  斜面、３６ｃ  スライド溝、３６ｄ  ねじ固定溝、３６ｅ  挿入穴、３６ｆ，３６ｐ  Ｕ溝、３６ｇ  フランジ溝、３６ｈ  突起、３６ｊ，３６ｎ  第２のドレン穴、３６ｋ，３６ｍ  ドレン受け部、３６ｑ  表面、３６ｒ，３６ｔ，３６ｕ  側面、３６ｓ  裏面。
【図１】
0006929472.tif 000002
【図２】
0006929472.tif 000003
【図３】
0006929472.tif 000004
【図４】
0006929472.tif 000005
【図５】
0006929472.tif 000006
【図６】
0006929472.tif 000007
【図７】
0006929472.tif 000008
【図８】
0006929472.tif 000009
【図９】
0006929472.tif 000010
【図１０】
0006929472.tif 000011
【図１１】
0006929472.tif 000012
【図１２】
0006929472.tif 000013